(57)【要約】情報に対する操作性を向上させるユーザインタフェース技術を提供する。情報処理装置（１００）は、表示エリア内に所定方向に並ぶように設けられる入力エリア及び後エリアのうち、カードが示す情報への入力が可能な入力エリアに配置されているカードに対する所定操作を検出する操作検出部（１０１）と、操作検出部（１０１）により所定操作が検出された場合に、入力エリアに配置されているカードが示す情報の状態に基づいて、後エリア内に設けられる複数の仕分エリアの中から当該カードの移動先の仕分エリアを決定する決定部（１０２）と、入力エリアに配置されている当該カードを、決定部（１０２）により決定された移動先の仕分エリアに移動させる描画処理部（１０３）と、を有する。
2015129244.tif 000002
【特許請求の範囲】
【請求項１】
表示部に表示される表示エリア内に所定方向に並ぶように入力エリア及び後エリアが設けられた際に、当該表示エリアにおいて処理対象の各情報をカード形式で表示可能なカードが示す情報への入力が可能な入力エリアに配置されている前記カードに対する所定操作を検出する操作検出手段と、
前記操作検出手段により前記所定操作が検出された場合に、前記入力エリアに配置されている前記カードが示す情報の状態に基づいて、前記後エリア内に設けられる複数の仕分エリアの中から該カードの移動先の仕分エリアを決定する決定手段と、
前記入力エリアに配置されている前記カードを、前記決定手段により決定された移動先の仕分エリアに移動させる描画処理手段と、備え、
前記表示エリア及び前記カードを前記表示部に表示可能な
情報処理装置。
【請求項２】
前記描画処理手段は、前記入力エリアに配置されていた前記カードを前記仕分エリアに移動させると共に、他の情報を示す新たな前記カードを前記入力エリアに配置する、
請求項１に記載の情報処理装置。
【請求項３】
前記仕分エリアの決定ルールを変え、変更後の決定ルールに基づいて、前記後エリア内に設けられる仕分エリアの再構成、及び、既に仕分エリアに配置されている前記カードの再構成された各仕分エリアへの再配置を行う再仕分手段、
を更に備え、
前記決定手段は、前記再仕分手段による前記決定ルールの変更後、前記変更後の決定ルールに基づいて、前記入力エリアに配置されている前記カードの移動先の仕分エリアを決定する、
請求項１又は２に記載の情報処理装置。
【請求項４】
待機エリアが、前記表示エリア内に所定方向に並ぶように、前記入力エリアを介して前記後エリアの反対側に設けられており、
前記決定手段は、前記カード形式で示される情報の中から、未完了状態の複数の情報を特定し、
前記描画処理手段は、前記複数の仕分エリアの各々に配置された前記カードを積み重ねて表示し、前記決定手段により特定された未完了状態の各情報をそれぞれ示す複数の前記カードを前記待機エリア内に積み重ねて表示し、前記入力エリアに配置されている前記カードを前記後エリア内の前記仕分エリアに移動させる際に、前記待機エリア内のカードスタックの最上層カードを新たな前記カードとして前記入力エリアに移動させる、
請求項１から３のいずれか１項に記載の情報処理装置。
【請求項５】
前記決定手段により特定された未完了状態の各情報には、順序番号がそれぞれ付されており、
前記描画処理手段は、前記順序番号に基づいて、前記待機エリア内のカードスタックの最上層カードを決定する、
請求項４に記載の情報処理装置。
【請求項６】
前記カード形式で表示される情報の総数、前記未完了状態の情報の数、及び、前記仕分エリア毎の配置された前記カードが示す情報の数を取得するカウント手段、
を更に備え、
前記描画処理手段は、前記総数及び前記未完了状態の情報の数を前記待機エリアに表示し、前記総数及び前記仕分エリア毎の数を前記後エリアに表示する、
請求項４又は５に記載の情報処理装置。
【請求項７】
前記描画処理手段は、前記複数の仕分エリアの中の１つに配置される前記カードを前記待機エリアに移動させる、
請求項４から６のいずれか１項に記載の情報処理装置。
【請求項８】
前記入力エリアに配置されている前記カードが示す情報に情報フラグを付加するフラグ付加手段、
を更に備え、
前記描画処理手段は、前記情報フラグが付された情報を示す前記カードの表示形式を前記情報フラグが付されていない情報を示す前記カードとは異なる表示形式に変更する、
請求項１から７のいずれか１項に記載の情報処理装置。
【請求項９】
前記決定手段は、前記入力エリアに配置されている前記カードが示す情報に、前記情報フラグが付されているか否かを判定し、前記情報フラグが付されている場合に、前記情報フラグが付された情報を示す前記カードのみが配置される仕分エリアに、前記入力エリアに配置されている前記カードの移動先を決定する、
請求項８に記載の情報処理装置。
【請求項１０】
前記描画処理手段は、前記情報フラグが付されている情報を示す前記カードを前記入力エリアから前記仕分エリアに移動させると共に、該カードが示す情報を前記入力エリア及び前記後エリアとは異なる部分エリアに固定的に前記カード形式で表示する、
請求項８又は９に記載の情報処理装置。
【請求項１１】
表示部に表示される表示エリア内に所定方向に並ぶように入力エリア及び後エリアが設けられた際に、当該表示エリアにおいて処理対象の各情報をカード形式で表示可能なカードが示す情報への入力が可能な入力エリアに配置されている前記カードに対する所定操作を検出し、
前記所定操作が検出された場合に、前記入力エリアに配置されている前記カードが示す情報の状態に基づいて、前記後エリア内に設けられる複数の仕分エリアの中から該カードの移動先の仕分エリアを決定し、
前記入力エリアに配置されている前記カードを、前記決定された移動先の仕分エリアに移動させ、
前記表示エリア及び前記カードを表示するよう前記表示部を制御する、
ことを含む情報表示方法。
【請求項１２】
請求項１１に記載の情報表示方法を少なくとも１つのコンピュータに実行させるプログラムが記録された、コンピュータが読み取り可能な記録媒体。
【発明の詳細な説明】
【技術分野】
【０００１】
本発明は、処理対象の情報を個々に表示させる情報処理技術に関する。
【背景技術】
【０００２】
スマートフォンやタブレット端末等のスマートデバイスが、私的活用に加えて、業務でも活用されるようになってきている。一方で、スマートデバイスで動作するアプリケーションでは、未だ、タブやツリービュー等のような据え置き型のＰＣ（Personal Computer）と同じＧＵＩ（Graphical User Interface）が用いられている。【０００３】
このような既存ＧＵＩは、大きい表示領域を持つ表示部を見ながらの操作であって、マウスやキーボード等のような入力機器の挙動に基づく操作（以降、機器操作と表記する）をターゲットにして設計されている。従って、既存ＧＵＩは、狭い表示領域に対する、タッチ操作やジェスチャ操作等のようなユーザの体自体又はその一部自体の挙動に基づく操作（以降、ボディ操作と表記する）には不向きである。ボディ操作は、ユーザに操作をイメージさせ易いが、一方で、機器操作に比べて、微細な動きに対応し難い。【０００４】
下記特許文献１には、既存のＧＵＩ部品であるスクロールバーの操作性を向上させる手法が提案されている。この提案手法は、利用者が指示する画面上の位置がスクロールバー上又は予め定められたスクロールバーの周囲の領域上であるかどうかを判定し、この判定結果に応じて、スクロールバーの幅を拡大させる。
【先行技術文献】
【特許文献】
【０００５】
【特許文献１】特開２００４−１９２５７３号公報
【発明の概要】
【発明が解決しようとする課題】
【０００６】
上述の提案手法によれば、スクロール操作がし易くなる。しかしながら、タブ表示、リスト表示、ツリービュー等のような形式により表示される多くの情報の中から所望の情報を選択し、選択された情報を編集するといった基本的な操作の操作性は改善されない。【０００７】
一般的に、スマートデバイスでは、表示領域が狭く、かつ、ボディ操作が主操作となる。更に、業務で活用される場合、スマートデバイスは、会社のオフィス以外で利用される可能性が高い。会社のオフィス内であれば、据え置き型の既存のＰＣが利用されるからである。更に、スマートデバイスは、携帯性の高さから、机上以外で利用される可能性も高い。このようなスマートデバイスに既存ＧＵＩが採用された場合、所望の情報にアクセスするための操作範囲が狭くなり、上述のような基本的な操作が困難となる。【０００８】
本発明は、このような事情に鑑みてなされたものであり、情報に対する操作性を向上させるユーザインタフェース技術を提供する。但し、本発明により提供されるユーザインタフェース技術は、スマートデバイスと呼ばれるコンピュータにおいてのみ有効な技術ではなく、情報処理装置全般に対して広く有効な技術である。
【課題を解決するための手段】
【０００９】
本発明の各側面は、上述した課題を解決するために、それぞれ以下の構成を採用する。【００１０】
第１の側面は、表示部に処理対象の各情報をカード形式でそれぞれ表示させる情報処理装置に関する。第１の側面に係る情報処理装置は、表示部に表示される表示エリア内に所定方向に並ぶように入力エリア及び後エリアが設けられた際に、当該表示エリアにおいて処理対象の各情報をカード形式で表示可能なカードが示す情報への入力が可能な入力エリアに配置されている上記カードに対する所定操作を検出する操作検出手段と、上記操作検出手段により上記所定操作が検出された場合に、上記入力エリアに配置されている上記カードが示す情報の状態に基づいて、上記後エリア内に設けられる複数の仕分エリアの中から該カードの移動先の仕分エリアを決定する決定手段と、上記入力エリアに配置されている上記カードを、上記決定手段により決定された移動先の仕分エリアに移動させる描画処理手段と、備える。【００１１】
第２の側面は、表示部に処理対象の各情報をカード形式でそれぞれ表示させる少なくとも１つのコンピュータにより実行される情報表示方法に関する。第２の側面に係る情報表示方法は、少なくとも１つのコンピュータが、表示部に表示される表示エリア内に所定方向に並ぶように入力エリア及び後エリアが設けられた際に、当該表示エリアにおいて処理対象の各情報をカード形式で表示可能なカードが示す情報への入力が可能な入力エリアに配置されているカードに対する所定操作を検出し、上記所定操作が検出された場合に、上記入力エリアに配置されている上記カードが示す情報の状態に基づいて、上記後エリア内に設けられる複数の仕分エリアの中から該カードの移動先の仕分エリアを決定し、上記入力エリアに配置されている上記カードを、上記決定された移動先の仕分エリアに移動させ、上記表示エリア及び上記カードを表示するよう上記表示部を制御することを含む。【００１２】
なお、本発明の他の側面としては、上記第２の側面の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
【発明の効果】
【００１３】
上記各側面によれば、情報に対する操作性を向上させるユーザインタフェース技術を提供することができる。
【図面の簡単な説明】
【００１４】
【図１】図１は、本発明の実施形態における情報処理装置の処理構成例を概念的に示す図である。
【図２】図２は、本発明の実施形態における情報処理装置の動作例を示すフローチャートである。
【図３】図３は、本発明の実施形態における情報表示の例を概念的に示す図である。
【図４】図４は、本発明の第１実施形態におけるスマートデバイスのハードウェア構成例を概念的に示す図である。
【図５】図５は、本発明の第１実施形態におけるスマートデバイスの処理構成例を概念的に示す図である。
【図６】図６は、本発明の第１実施形態におけるスマートデバイスの動作例を示すフローチャートである。
【図７】図７は、本発明の第１実施形態における情報表示の例を概念的に示す図である。
【図８】図８は、本発明の第２実施形態におけるスマートデバイスの処理構成例を概念的に示す図である。
【図９】図９は、本発明の第２実施形態におけるスマートデバイスの動作例の一部を示すフローチャートである。
【図１０】図１０は、本発明の第２実施形態における情報表示の第１例を概念的に示す図である。
【図１１】図１１は、第２実施形態における情報表示の第２例を概念的に示す図である。
【発明を実施するための形態】
【００１５】
以下、本発明の実施の形態について説明する。なお、以下に挙げる実施形態は例示であり、本発明は以下の実施形態の構成に限定されない。
【００１６】
図１は、本実施形態における情報処理装置の処理構成例を概念的に示す図である。図１に示されるように、情報処理装置１００は、表示部に処理対象の各情報をカード形式でそれぞれ表示させる。情報処理装置１００は、操作検出部１０１と、決定部１０２と、描画処理部１０３と、を有する。操作検出部１０１は、表示エリア内に所定方向に並ぶように設けられる入力エリア及び後エリアのうち、カードが示す情報への入力が可能な入力エリアに配置されているカードに対する所定操作を検出する。決定部１０２は、操作検出部１０１により所定操作が検出された場合に、入力エリアに配置されているカードが示す情報の状態に基づいて、後エリア内に設けられる複数の仕分エリアの中から当該カードの移動先の仕分エリアを決定する。描画処理部１０３は、入力エリアに配置されている当該カードを、決定部１０２により決定された移動先の仕分エリアに移動させる。
【００１７】
図１に示される情報処理装置１００は、例えば、後述する詳細実施形態におけるスマートデバイス（１０Ａ、１０Ｂ）と同様のハードウェア構成を有し、そのスマートデバイス（１０Ａ、１０Ｂ）と同様にプログラムが処理されることで、上述の各処理部が実現される。また、上記表示部は、情報処理装置１００が有していてもよいし、情報処理装置１００と通信可能に接続される他のコンピュータ（図示せず）が有していてもよい。係る表示部は、ＬＣＤ（Liquid Crystal Display）やＣＲＴ（Cathode Ray Tube）ディスプレイ等のような、描画データに対応する画面を表示する装置である。
【００１８】
次に、本実施形態における情報表示方法について図２を用いて説明する。図２は、本実施形態における情報処理装置１００の動作例を示すフローチャートである。図２に示されるように、本実施形態における情報表示方法は、情報処理装置１００のような少なくとも１つのコンピュータにより実行され、表示部に処理対象の各情報をカード形式でそれぞれ表示させる。上記表示部は、情報表示方法の実行主体であるコンピュータが有していてもよいし、他のコンピュータ（図示せず）が有していてもよい。
【００１９】
本実施形態における情報表示方法は、以下の処理（工程）を含む。即ち、当該情報表示方法は、表示エリア内に所定方向に並ぶように設けられる入力エリア及び後エリアのうち、カードが示す情報への入力が可能な入力エリアに配置されているカードに対する所定操作を検出する（Ｓ１０１）。当該情報表示方法は、所定操作が検出された場合に、入力エリアに配置されているカードが示す情報の状態に基づいて、後エリア内に設けられる複数の仕分エリアの中から当該カードの移動先の仕分エリアを決定する（Ｓ１０２）。当該情報表示方法は、入力エリアに配置されている当該カードを、上記決定された移動先の仕分エリアに移動させる（Ｓ１０３）。
【００２０】
上記各工程の実行順は、図２に示される順番に限定されない。また、本発明の実施形態は、上述の情報表示方法をコンピュータに実行させるプログラムであってもよいし、このようなプログラムを記録した当該コンピュータが読み取り可能な記録媒体であってもよい。
【００２１】
本実施形態では、処理対象の各情報がカード形式（単票形式）でそれぞれ表示される。カード形式での表示とは、任意の形状を持つ描画要素内に、各情報をそれぞれ独立して視認及び操作できるように表示することを意味する。つまり、「カード」という文言は、説明の便宜のため用いられたものであり、その文言自体に形状を特定する特別な意図はない。情報を表示させる描画要素の形状は何ら制限されず、２次元形状であってもよいし、３次元形状であってもよい。また、その形状は、シート状の形であってもよいし、バブルのような、その他の形状であってもよい。また、処理対象の情報の内容は制限されない。カード化される情報単位（カード形式で表される情報の単位）も制限されない。複数のカードが示す情報が重複していてもよい。但し、カード化される情報単位がユーザの作業単位となっていれば、ユーザの操作性をより向上させることができる。本明細書において個々の「情報」は、１つのカードで示される（表される）情報を意味する。
【００２２】
本実施形態では、表示エリア内に所定方向に並ぶ入力エリア及び後エリアが設けられており、更に、後エリアには複数の仕分エリアが設けられている。表示エリアとは、表示部の全表示領域又はその一部を意味し、入力エリアとはカードが示す情報への入力が可能な領域を意味する。入力エリア及び後エリアは、表示エリア内の或る範囲を示し、相互の境界線は重複してもよいし、離れていてもよい。例えば、入力エリア及び後エリアは、左右方向、上下方向又は斜め方向に並んで設けられる。
【００２３】
図３は、本実施形態における情報表示の例を概念的に示す図である。図３の例では、各カードは、角が丸まった長方形の形状からなる。入力エリアが右に、後エリアが左に設けられている。また、後エリアには、３つの仕分エリアが設けられている。
【００２４】
本実施形態では、図３に示されるように、入力エリアに配置されているカードに対する所定操作が検出され、そのカードが、入力エリアから、そのカードが示す情報の状態に基づいて決定される後エリア内の或る１つの仕分エリアに移動する。カードが示す情報の状態には、例えば、正常又は異常、合格又は不合格のように情報の内容に基づく判定結果が該当し得る。また、カードが示す情報の状態には、例えば、完了又は未完了のような情報の作業状況が該当しえる。また、カードが示す情報の状態には、例えば、入力担当者毎の分類、情報カテゴリ毎の分類のように情報の分類等が該当し得る。後エリアに設けられる仕分エリアの数は、仕分ルールに基づいて決定される。検出される所定操作は、入力エリアから後エリアにカードを移動させる契機となる操作である。これより、検出される所定操作は、例えば、当該カードが示す情報に対する作業の区切り（完了、保留等）を示す操作に設定される。その所定操作は、表示されているボタンの押下操作であってもよいし、所定のジェスチャ操作や所定の音声操作であってもよい。
【００２５】
このように、本実施形態によれば、ユーザは、カードがどの仕分エリアに移動したかを確認することで、そのカードが示す情報の状態を、視覚的に容易に把握することができる。更に、本実施形態によれば、情報のカード形式での表示により、所望の情報にアクセスするための操作範囲を大きくすることができる。これにより、本実施形態によれば、例えば、ユーザは、リスト表示やツリービュー表示等と比較して、情報に対する入力操作を容易に実行することができる。つまり、本実施形態によれば、表示エリアが狭くかつボディ操作を主操作とするスマートデバイスにおいても、情報に対する参照及び入力操作を容易化することができる。
【００２６】
更に、本実施形態では、描画処理部１０３が、入力エリアに配置されていたカードを仕分エリアに移動させると共に、他の情報を示す新たなカードを入力エリアに配置するようにすることもできる。同様に、本実施形態における情報表示方法は、Ｓ１０３における処理の後、又は、Ｓ１０３における処理と同時に、他の情報を示す新たなカードを入力エリアに配置することを更に含むこともできる。このようにすれば、ユーザが、入力エリアに配置されているカードに対して所定操作を行うことで、次の新しいカードが入力エリアに配置される。これより、ユーザは、次にアクセスすべき情報を間違いなく簡単に知ることができる。
【００２７】
以下、上述の実施形態について更に詳細を説明する。以下、詳細実施形態として、スマートデバイスを例示する。但し、上述の実施形態及び後述の各詳細実施形態（第１実施形態及び第２実施形態）の内容は、スマートデバイスのみに適用可能なわけではなく、ＧＵＩを持つアプリケーションを実行可能なあらゆるコンピュータに適用可能である。以下に、詳細実施形態である第１実施形態及び第２実施形態について、上述の内容と異なる内容を中心に説明し、同一の内容については適宜省略する。
［第１実施形態］
〔ハードウェア構成〕
図４は、第１実施形態におけるスマートデバイス１０Ａのハードウェア構成例を概念的に示す図である。第１実施形態におけるスマートデバイス１０Ａは、ＣＰＵ（Central Processing Unit）２、メモリ３、表示ユニット４、タッチセンサ５、マイクロフォンユニット６等を有する。但し、第１実施形態におけるスマートデバイス１０Ａのハードウェア構成は、図４の例に制限されない。なお、後述する第２実施形態におけるスマートデバイス１０Ｂ（図８）も、図４に例示するハードウェア構成と同様のハードウェア構成により実現可能である。なお、以下の例においては、第1実施形態におけるスマートデバイス１０Ａを具体例として、ハードウェア構成について説明する。以下の説明は、第２実施形態におけるスマートデバイス１０Ｂついても同様である。
【００２８】
ＣＰＵ２は、他の各ユニットとバス等の通信線により接続される。メモリ３は、ＲＡＭ（Random Access Memory）、ＲＯＭ（Read Only Memory）、補助記憶装置（ハードディスク等）である。表示ユニット４は、ＬＣＤ（Liquid Crystal Display）やＣＲＴ（Cathode Ray Tube）ディスプレイ等のようなモニタを含み、表示処理を行う。
【００２９】
タッチセンサ５は、外部からの接触を感知することによりユーザからの操作入力を受け付ける。タッチセンサ５は、非接触状態において外部からの近接状態を検知することができるセンサであってもよい。また、表示ユニット４及びタッチセンサ５は、タッチパネルユニットとして実現されてもよい。更に、スマートデバイス１０Ａは、タッチセンサ５と共に、又は、タッチセンサ５の代わりに、ジェスチャ等を認識するための撮像ユニット（図示せず）を有するように構成されてもよい。
【００３０】
マイクロフォンユニット６は、集音装置である。図４の例では、ユーザ操作を検出し得るハードウェア要素として、タッチセンサ５及びマイクロフォンユニット６が例示される。スマートデバイス１０Ａ及び１０Ｂは、上記以外に、ユーザ操作を検出し得るハードウェア要素として、他種のユーザ操作を検出し得る振動センサ、加速度センサ、地磁気センサ（以上、図示せず）を有してもよい。
【００３１】
〔処理構成〕
図５は、第１実施形態におけるスマートデバイス１０Ａの処理構成例を概念的に示す図である。第１実施形態におけるスマートデバイス１０Ａは、操作検出部１１、決定部１２、描画処理部１３、再仕分部１４、カウント部１５等を有する。これら各処理部は、例えば、メモリ３に格納されたプログラムがＣＰＵ２により実行されることにより実現される。また、当該プログラムは、例えば、メモリカード等のような可搬型記録媒体や、ネットワーク上の他のコンピュータから、入出力Ｉ／Ｆ又は通信ユニット（共に図示せず）を介してインストールされ、メモリ３に格納されてもよい。
【００３２】
操作検出部１１は、上述の操作検出部１０１に対応する。操作検出部１１は、タッチセンサ５、マイクロフォンユニット６等からの情報に基づいて、或る特定のユーザ操作を検出する。操作検出部１１により検出される特定のユーザ操作には、上述の所定操作、即ち、入力エリアから後エリアにカードを移動させる契機となる操作が含まれる（以降、クローズ操作と表記する）。当該特定のユーザ操作には、更に、仕分の切り替えを示す操作（以降、切り替え操作と表記する）、仕分エリアの移動を示す操作（以降、再待機操作と表記する）が含まれる。
【００３３】
決定部１２は、上述の決定部１０２に対応する。決定部１２は、上述した入力エリアに配置されているカードが示す情報の状態と、仕分エリアの決定ルールとに基づいて、後エリア内に設けられる複数の仕分エリアの中からそのカードの移動先の仕分エリアを決定する。仕分エリアの決定ルールには、情報の状態の条件と仕分エリアとの対応関係が規定されている。仕分エリアは、仕分エリアＩＤ（Ｉｄｅｎｔｉｆｉｅｒ、識別情報）により識別されてもよい。決定部１２は、決定ルール毎に、ルールＩＤ、及び、情報の状態と仕分エリアとの対応関係をそれぞれ保持する。このような仕分エリアの決定ルールの数及び内容については何ら制限されない。
【００３４】
仕分エリアの決定ルールは、後述の再仕分部１４により変更され得る。決定部１２は、再仕分部１４により決定ルールが変更された場合、変更後の決定ルールに基づいて、入力エリアに配置されているカードの移動先の仕分エリアを決定する。
【００３５】
また、決定部１２は、カード形式で示される情報の中から、未完了状態の複数の情報を特定する。この場合、決定部１２は、カード形式で示される全ての情報の中から、未完了状態の複数の情報を特定してもよい。カード形式で示されるべき情報は、予めスマートデバイス１０Ａにより保持されていてもよいし、他のコンピュータから取得されてもよい。未完了状態の情報とは、入力作業（入力処理）が完了していない情報を意味する。また、完了することを保留させた情報も未完了状態の情報に含められてもよい。
【００３６】
決定部１２は、処理対象の情報に付与される完了フラグ又は未完了フラグを用いて、情報が未完了状態か否かを判断することができる。また、決定部１２は、処理対象の情報内の入力されるべき内容が残っているか否かを判断することにより、その情報が未完了状態か否かを判断することもできる。未完了状態に、保留状態を含める場合には、例えば、情報に保留フラグが付されてもよい。この場合、決定部１２は、この保留フラグを用いて、情報が未完了状態か否かを判断することができる。
【００３７】
カウント部１５は、カード形式で表示される情報の総数、決定部１２により特定された未完了状態の情報の数、及び、仕分エリア毎の配置されたカードが示す情報の数を取得する。言い換えれば、カウント部１５は、カードの総数、後述する待機エリアに配置されるカードの数、各仕分エリアに配置されるカードの数を取得する。未完了状態の情報の特定方法は、決定部１２と同様である。各仕分エリアに配置されるカードの数は、描画処理部１３による入力エリアから仕分エリアへのカードの移動に基づいてカウントされてもよい。また、情報毎に、当該情報が配置されている仕分エリアのＩＤが付与されており、各仕分エリアに配置されるカードの数は、このＩＤを用いてカウントされてもよい。
【００３８】
再仕分部１４は、仕分エリアの決定ルールを変える。再仕分部１４は、変更後の決定ルールに基づいて、後エリア内に設けられる仕分エリアの再構成、及び、既に仕分エリアに配置されているカードの再構成された各仕分エリアへの再配置を行う。仕分エリアの再構成では、各仕分エリアの意味が変更される。変更前後の各決定ルールによれば、仕分エリアの数が変更される場合もある。例えば、仕分エリアの再構成では、正常及び異常を示す２つの仕分エリアが、内容分類Ａ、Ｂ、Ｃ及びＤのように情報の内容に関する４つの分類を示す４つの仕分エリアに切り替えられる。カードの再配置では、変更前の各仕分エリアにそれぞれ配置されている複数のカードが、変更後の決定ルールに基づいて、再構成後の各仕分エリアに再配置される。
【００３９】
再仕分部１４は、操作検出部１１により仕分の切り替えを示す操作（切り替え操作）が検出された場合に、実行される。この切り替え操作は、表示エリアに表示されるボタンに対する押下操作、所定のタッチ操作、所定のジェスチャ操作、所定の音声操作等である。
【００４０】
描画処理部１３は、上述の描画処理部１０３に対応する。本実施形態における描画処理部１３は、入力エリア及び後エリアに加えて、表示エリア内に設けられた待機エリアを扱う。待機エリアは、表示エリア内に所定方向に並ぶように、入力エリアを介して後エリアの反対側に設けられる。待機エリア、入力エリア及び後エリアの並ぶ方向は、制限されない。描画処理部１３は、決定部１２により特定された未完了状態の各情報をそれぞれ示す複数のカードを上記待機エリア内に積み重ねて表示する処理を実行する。この場合、描画処理部１３は、例えば、表示ユニット４が表示処理を実行するよう制御してもよい。同様に、描画処理部１３は、複数の仕分エリアの各々に配置されたカードを積み重ねて表示する処理を実行してもよい。  描画処理部１３による表示とは、描画処理部１３が、表示ユニット４に所望の画像（カードなど）を表示させるために行う処理を意味する。なお、描画処理部１３が実行する表示に関する処理は、所望の画像（カードなど）を描画するよう表示ユニット４を制御する処理を含んでもよい。また、積み重ねて表示とは、複数のカードが積み重なっているようにユーザに見せることを意味し、その具体的実現手法は限定されない。一例としては、描画処理部１３は、積み重なったカードを表す画像を層の数毎に予め保持し、それら画像を切り替えることができる。描画処理部１３は、表示ユニット４に対して、存在するカードの枚数を厳密に積層表示させてもよい。また、描画処理部１３は、表示ユニット４に対して、カードが複数存在するか否かが分かればよい程度で、積み重なったカードを積層表示させてもよい。
【００４１】
描画処理部１３は、入力エリアに配置されているカードを後エリア内の仕分エリアに移動させる際に、待機エリア内のカードスタックの最上層カードを、新たなカードとして入力エリアに移動させる。カードスタックの最上層カードは、例えば、積層表示されたカード（積み重なったカード）の一番上に配置されたカードである。
【００４２】
描画処理部１３は、複数のカードを積み重ねて表示する処理を実行する場合、最上層に位置するカードを決め、そのカードが示す情報を最上層のカード内に表示することもできる。この場合、描画処理部１３は、最上層のカード内に、そのカードの情報又はその一部を表示する処理を実行してもよい。また、描画処理部１３は、最上層のカード内に、そのカードの情報の要約又はその情報のイメージ画像を表示する処理を実行してもよい。また、描画処理部１３は、最上層より下層のカード内にも可能な範囲で各カードの情報一部を表示する処理を実行することもできる。
【００４３】
カード形式で示される各情報には予め順序番号が付されていてもよい。この場合には、描画処理部１３は、その順序番号に基づいて、待機エリア及び各仕分エリア内のカードスタックの最上層カードを決定することができる。この順序番号は、決定部１２により特定される未完了状態の各情報にのみ付されてもよい。これにより、ユーザは、待機エリアのカードスタックの最上層カードを参照することで、次に作業すべき情報を把握することができる。
【００４４】
描画処理部１３は、カウント部１５により取得された総数、未完了状態の情報の数、及び、仕分エリア毎の配置されたカードが示す情報の数に基づいて、総数及び未完了状態の情報の数を待機エリアに表示する処理を実行する。また、描画処理部１３は、総数及び仕分エリア毎の数を後エリアに表示する処理を実行する。これらの数は、各エリア内のカードスタックの最上層のカード内に表示されてもよい。
【００４５】
また、描画処理部１３は、操作検出部１１により仕分エリアの移動を示す操作（再待機操作）が検出された場合に、複数の仕分エリアの中の１つに配置されるカードを待機エリアに移動させる。この再待機操作は、移動する仕分エリアを選択する操作及びその仕分エリアの待機エリアへの移動を指示する操作である。
【００４６】
〔動作例〕
以下、第１実施形態における情報表示方法について図６を用いて説明する。図６は、第１実施形態におけるスマートデバイス１０Ａの動作例を示すフローチャートである。以下の説明では、各工程の実行主体は、スマートデバイス１０Ａとされるが、各工程は、スマートデバイス１０Ａを含む複数のコンピュータにより実行されてもよい。また、各工程は、スマートデバイス１０Ａが有する上述の各処理部の処理内容と同様であることから、各工程の詳細は、適宜省略される。
【００４７】
スマートデバイス１０Ａは、ユーザ操作を検出する（Ｓ６１）。検出されるユーザ操作は、タッチ操作、ジェスチャ操作、音声操作等、一般的なスマートデバイス１０Ａで検出され得る各種操作である。
【００４８】
スマートデバイス１０Ａは、クローズ操作が検出された場合（Ｓ６２；ＹＥＳ）、入力エリアに配置されているカードの移動先の仕分エリアを決定する（Ｓ６３）。続いて、スマートデバイス１０Ａは、そのカードを入力エリアから、Ｓ６３における処理で決定された仕分エリアに移動させる（Ｓ６４）。
【００４９】
スマートデバイス１０Ａは、複数のカードが各仕分エリアに配置される場合、その仕分エリア内でカードを積み重ねて表示する。更に、スマートデバイス１０Ａは、仕分エリア毎のカードの数を取得し、取得された数を後エリアに表示する（Ｓ６５）。スマートデバイス１０Ａは、カードの総数を取得しており、その総数と共に、仕分エリア毎のカードの数を表示することもできる。
【００５０】
更に、スマートデバイス１０Ａは、待機エリア内のカードスタックの最上層カードを入力エリアに移動させる（Ｓ６６）。これにより、入力エリア内には新たなカードが配置されることになり、かつ、待機エリア内のカードの数が減少することになる。スマートデバイス１０Ａは、待機エリア内のカードの数を取得し、その取得された数を待機エリアに表示する（Ｓ６７）。スマートデバイス１０Ａは、カードの総数と共に、待機エリア内のカードの数を表示することもできる。
【００５１】
一方、スマートデバイス１０Ａは、切り替え操作が検出された場合（Ｓ６２；ＮＯ、Ｓ６８；ＹＥＳ）、仕分エリアの決定ルールを変更する（Ｓ６９）。変更後の決定ルールは、切り替え操作と共に指定される。Ｓ６９における処理の実行後、Ｓ６３における処理を実行する場合、スマートデバイス１０Ａは、変更後の決定ルールを用いる。
【００５２】
スマートデバイス１０Ａは、変更後の決定ルールに基づいて、仕分エリアを再構成する（Ｓ７０）。更に、スマートデバイス１０Ａは、既に仕分エリアに配置されているカードを、再構成された各仕分エリアに再配置する（Ｓ７１）。
【００５３】
また、スマートデバイス１０Ａは、再待機操作が検出された場合（Ｓ６２；ＮＯ、Ｓ６８；ＮＯ、Ｓ７２；ＹＥＳ）、再待機操作と共に指定された仕分エリア内のカードを待機エリアに移動する（Ｓ７３）。
【００５４】
第１実施形態における情報表示方法に含まれる各工程は、図６に示される順番に制限されず、内容的に支障のない範囲でその順番は変更され得る。例えば、Ｓ６４における処理及びＳ６６における処理は、並列に実行されてもよいし、Ｓ６５における処理及びＳ６７における処理についても、逆の順番で実行されてもよい。また、検出されたユーザ操作についての判定に関する処理（Ｓ６２、Ｓ６８及びＳ７２）の順番も変更可能である。
【００５５】
図７は、第１実施形態における情報表示の例を概念的に示す図である。図７の例では、各カードは、角が丸まった長方形の形状からなる。待機エリア、入力エリア及び後エリアが表示エリアの右から左の方向に並ぶように設けられている。また、後エリアには、３つの仕分エリアが設けられている。更に、第１実施形態では、各エリアに複数のカードが配置される場合には、カードが積み重ねられているような形状で表示される。
【００５６】
〔第１実施形態における作用及び効果〕
第１実施形態では、図７に示されるように、表示エリアに、待機エリア、入力エリア及び後エリアが所定方向に並ぶように設けられる。そして、待機エリアには、未完了状態の情報を示すカードが積層形状で表示され、後エリア内の各仕分エリアには、入力エリアから移動されたカードがそれぞれ積層形状で表示される。そして、入力エリアに配置されているカードが後エリア内の仕分エリアに移動され、待機エリア内のカードスタックの最上層カードが新たなカードとして入力エリアに移動される。
【００５７】
このように、第１実施形態によれば、ユーザは、入力エリア内のカードに対するクローズ操作を行うことで、次に入力作業をすべき新たな情報（カード）を容易に間違うことなく把握することができる。ユーザは、例えば、入力エリア内のカードに対する入力作業が完了した場合や、その作業を保留して次の作業を行う場合に、入力エリア内のカードに対するクローズ操作を行ってもよい。更に、上述したように、ユーザは、カードがどの仕分エリアに移動したかを確認することで、そのカードが示す情報の状態を視覚的に容易に把握することができる。また、このような作用は、入力エリア内のカードを移動させる契機となる簡単なクローズ操作で実現可能であることから、タッチ操作を主操作とするスマートデバイス１０Ａでも実現可能である。
【００５８】
また、第１実施形態によれば、未完了状態の情報を示すカード、即ち、入力エリアに配置されて入力作業の対象となることを待つカードが、待機エリアに表示されることから、ユーザは、作業すべき情報が残っていることを容易に把握できる。更に、第１実施形態によれば、待機エリア及び各仕分エリアに複数のカードが配置されている場合、それらカードが積み重ねられているように表示されることから、ユーザは、各エリアに存在するカードのおおよその数を推測することができる。これにより、待機エリアのカードが積層形状で表示されていれば、ユーザは、作業すべき情報が未だ複数残っていることを容易に把握できる。
【００５９】
また、第１実施形態は、待機エリアに、カード形式で表示される情報の総数及び未完了状態の情報の数を表示し、後エリアに、当該総数及び仕分エリア毎の配置されたカードが示す情報の数を表示することもできる。これにより、カードの積み重ね表示のみでは、詳細な数（作業量）を示すことができないところ、ユーザは、具体的な残作業量や、各仕分エリアに配置される情報の数などを簡単に把握できる。
【００６０】
更に、第１実施形態では、切り替え操作の検出に応じて、仕分エリアの決定ルールが変更される。そして、変更後の決定ルールに基づいて、後エリア内に設けられる仕分エリアの再構成、及び、既に仕分エリアに配置されているカードの再構成された各仕分エリアへの再配置が実行される。従って、第１実施形態によれば、複数の決定ルールを予め設けておくことで、ユーザは、所望の決定ルールに順次切り替えることができる。これにより、ユーザは、入力エリアから後エリアに移動されたカードが示す情報の状態を様々な観点で把握することができる。
【００６１】
更に、第１実施形態では、再待機操作の検出に応じて、仕分エリア内のカードが待機エリアに移動される。これにより、ユーザは、保留状態の情報や、気になる点の残る情報等を示すカードを、再度、入力エリアに配置させ、入力作業可能状態とすることができる。
［第２実施形態］
第２実施形態におけるスマートデバイス１０Ｂは、入力エリアに配置されるカードが示す情報に情報フラグを付加することを可能とする。以下、第２実施形態におけるスマートデバイス１０Ｂについて、第１実施形態と異なる内容を中心に説明する。以下の説明では、第１実施形態と同様の内容については適宜省略する。
【００６２】
〔処理構成〕
図８は、第２実施形態におけるスマートデバイス１０Ｂの処理構成例を概念的に示す図である。図８に示されるように、第２実施形態におけるスマートデバイス１０Ｂは、第１実施形態の構成に加えて、フラグ付加部１６を更に有する。フラグ付加部１６についても、他の処理部と同様に実現される。より具体的には、フラグ付加部１６は、他の処理部と同様に、図４に例示されるスマートデバイス１０Ｂのハードウェア構成を用いて実現可能である。
【００６３】
フラグ付加部１６は、入力エリアに配置されているカードが示す情報に情報フラグを付加する。情報フラグは、フラグが設定されているか否かを示す２値で表される。複数種の情報フラグが設けられる場合には、各フラグ種を示すＩＤが情報フラグとして設定される。情報フラグは、例えば、気になる情報に対して付加される「気になるフラグ」や、お気に入りの情報に対して付加される「お気に入りフラグ」や、参考にしたい情報に対して付加される「参照フラグ」や、「保留フラグ等」等であってもよい。本実施形態では、情報フラグの内容は制限されない。
【００６４】
フラグ付加部１６は、操作検出部１１が入力エリアに配置されているカードに対するフラグ付与操作を検出することに呼応して、上述の処理を実行する。フラグ付与操作は、他の所定操作と同様に、所定のタッチ操作や、表示されているボタンの押下操作であってもよいし、所定のジェスチャ操作や所定の音声操作であってもよい。複数のフラグ種が設けられている場合には、フラグ種毎に異なるフラグ付与操作が割り当てられれば良い。
【００６５】
描画処理部１３は、情報フラグが付された情報を示すカードの表示形式を情報フラグが付されていない情報を示すカードとは異なる表示形式に変更する。描画処理部１３は、表示形式の変更として、変色、変形、拡大等を実行することができる。例えば、描画処理部１３は、情報フラグが付された情報を示すカードにドッグイア（角の折り目）や付箋等を付すことができる。また、複数種の情報フラグが設けられている場合には、描画処理部１３は、情報フラグが付された情報を示すカードの表示形式を、フラグ種に応じて、異なる表示形式とすることもできる。これにより、ユーザは、情報に付された情報フラグの種類を、カードの表示形式から把握することができる。
【００６６】
更に、描画処理部１３は、情報フラグが付されている情報を示すカードを入力エリアから仕分エリアに移動させることができる。それと共に、描画処理部１３は、そのカードが示す情報を待機エリア、入力エリア及び後エリアとは異なる部分エリアに固定的にカード形式で表示する処理を実行することもできる。
【００６７】
決定部１２は、情報フラグの有無を含む仕分エリアの決定ルールを用いることができる。即ち、決定部１２は、カードが示す情報に、情報フラグが付されているか否かを判定する。そして、決定部１２は、係る判定の結果、情報フラグが付されている場合に、情報フラグが付された情報を示すカードのみが配置される仕分エリアに、そのカードの移動先を決定する。
【００６８】
〔動作例〕
以下、第２実施形態における情報表示方法について図９を用いて説明する。図９は、第２実施形態におけるスマートデバイス１０Ｂの動作例の一部を示すフローチャートである。図９では、図６と同じ内容の処理工程については、図６と同じ符号が付されており、紙面の制約により、図６のＳ６８における処理以降の処理が省略されている。以下の説明では、各工程の実行主体は、スマートデバイス１０Ｂとされるが、各工程は、スマートデバイス１０Ｂを含む複数のコンピュータにより実行されてもよい。また、各工程は、スマートデバイス１０Ｂが有する上述の各処理部の処理内容と同様であることから、各工程の詳細は、適宜省略される。
【００６９】
スマートデバイス１０Ｂは、フラグ付与操作が検出された場合（Ｓ９１；ＹＥＳ）、入力エリアに配置されているカードが示す情報に情報フラグを付加する（Ｓ９２）。複数種の情報フラグが設けられている場合には、フラグ付与操作のタイプに応じて、情報に付加される情報フラグ種が切り替えられる。
【００７０】
続いて、スマートデバイス１０Ｂは、クローズ操作が検出された場合（Ｓ６２；ＹＥＳ）、第１実施形態と同様に、Ｓ６３における処理から、Ｓ６７における処理を実行する。このとき、仕分エリアの決定ルールに、その情報フラグの有無が含まれている場合には、スマートデバイス１０Ｂは、該当情報に情報フラグが付されているか否かも考慮して、移動先の仕分エリアを決定する（Ｓ６３）。
【００７１】
スマートデバイス１０Ｂは、カードが示す情報に所定の情報フラグが付されているか否かを判定する（Ｓ９３）。Ｓ９３における処理で判定対象とされる所定の情報フラグは、例えば、参照フラグである。スマートデバイス１０Ｂは、所定の情報フラグ（例えば参照フラグ）が設定されていると判断すると（Ｓ９３；ＹＥＳ）、Ｓ６３の処理でのカードが示す情報を、待機エリア、入力エリア及び後エリアとは異なる他の部分エリアに固定的にカード形式で表示する（Ｓ９４）。
【００７２】
第２実施形態における情報表示方法に含まれる各工程は、図９に示される順番に制限されず、内容的に支障のない範囲でその順番は変更され得る。例えば、Ｓ９３における処理、及びＳ９４における処理は、Ｓ６３における処理より前に実行されてもよいし、Ｓ６３からＳ６７における処理と並列に実行されてもよい。
【００７３】
図１０は、第２実施形態における情報表示の第１例を概念的に示す図である。図１０の例では、入力エリアに配置されたカードには、「気になる」ボタンが表示される。この場合、この「気になる」ボタンが押下される操作が上述のフラグ付与操作である。この操作が検出されると、そのカードが示す情報に「気になる」フラグが情報フラグとして付加され、その情報を示すカードにドッグイアが付与される。図１０の例では、仕分エリア２に、「気になる」フラグが付された情報を示すカードが配置されている。
【００７４】
図１１は、第２実施形態における情報表示の第２例を概念的に示す図である。図１１の例では、入力エリアに配置されたカードには、「参照」ボタンが表示される。この場合、この「参照」ボタンが押下される操作が上述のフラグ付与操作である。この操作が検出されると、そのカードは、入力エリアから後エリアに移動されると共に、参照用カードとして入力エリア及び待機エリアの上部に配置されている他の部分エリアにも表示される。
【００７５】
〔第２実施形態における作用及び効果〕
上述のように、第２実施形態では、フラグ付与操作の検出に応じて、入力エリアに配置されているカードが示す情報に情報フラグが付加される。この情報フラグが付加された情報を示すカードは、その他のカードと表示形式が変更される。第２実施形態によれば、ユーザは、カードの表示形式を見ることにより、カードが示す情報に情報フラグが付されているか否かを容易に把握することができる。
【００７６】
また、第２実施形態では、情報フラグの有無を仕分エリアの決定ルールに含めることができる。また、第２実施形態では、情報フラグが付されている情報を示すカードのみが配置される仕分エリアを設けることができる。これによれば、ユーザは、後エリアの各仕分エリアに配置されたカードを参照することにより、情報フラグが付されている情報を容易に把握することができる。
【００７７】
更に、第２実施形態では、情報フラグが付されている情報を示すカードを入力エリアから仕分エリアに移動させると共に、情報フラグが付されている情報を入力エリア及び後エリアとは異なる部分エリアに固定的にカード形式で表示することができる。従って、ユーザは、後作業で参考になる情報を示すカードに対してフラグ付与操作を行うことにより、そのカードを後エリアに移動させると共に、そのカードが示す情報を当該部分エリアにおいて固定的に参照することができる。
［上記各実施形態の変形例］
上述の各実施形態で処理対象とされる情報、即ち、カード形式で表示される各情報は、情報処理装置及びスマートデバイス（１０Ａ、１０Ｂ）がメモリ３に保持する。情報処理装置及びスマートデバイス（１０Ａ、１０Ｂ）は、処理対象の全ての情報の中から、表示エリアにカードとして表示すべき情報のみをメモリ３に保持してもよいし、全ての情報をメモリ３に保持してもよい。表示エリアにカードとして表示すべき情報のみをメモリ３に保持する場合には、必要となった情報が、サーバ装置等の他のコンピュータから取得される。
【００７８】
上述の情報処理装置１００及びスマートデバイス（１０Ａ，１０Ｂ）は、複数のコンピュータにより実現されることも可能である。複数のコンピュータで実現される場合には、タッチセンサ５やマイクロフォンユニット６のようなユーザ操作を検出するための機器を備えるコンピュータが、操作検出部１１のみを有し、他のコンピュータが、他の処理部を有するように構成できる。また、或るコンピュータが、操作検出部１１及び描画処理部１３のみを有し、他のコンピュータが、その他の処理部を有するように構成することも可能である。
【００７９】
以下具体例を用いて、上述の各実施形態を更に詳細に説明する。本発明は以下の具体例により何ら限定されない。
［具体例］
以下では、上述の各実施形態が点検作業で利用される場合を具体例として説明する。この場合、処理対象の各情報は、点検作業の工程毎又は点検項目毎の情報である。
【００８０】
待機エリアには、未点検の情報を示すカードが積み重ねて表示され、入力エリアでは、測定温度や測定メータ値等の点検結果の情報が入力される。ユーザは、入力エリアに配置されているカードが示す情報に点検結果の情報を入力し終わると、クローズ操作を行う。仕分エリアの決定ルールには、入力された点検結果の情報が正常か否かの判定ルールが含まれ、この判定結果に応じて、移動先の仕分エリアが決定される。ユーザは、各仕分エリアに配置されるカードを参照することで、正常と判定された情報と異常と判定された情報とを認識することができる。更に、待機エリアに表示されるカードを参照することで、ユーザは、残作業の量を把握することができる。
【００８１】
また、各カードに示される各情報には、点検作業の順番を示す番号がそれぞれ付されており、この番号に応じて、待機エリア内のカードスタックの最上層カードが決定される。これにより、入力エリアには、前の点検作業の情報入力が完了すると、次の点検作業の情報を示すカードが配置される。
【００８２】
本具体例によれば、ユーザは、入力エリアに配置されるカードを参照することにより、容易にかつ誤りなく、やるべき点検作業を把握することができる。更に、現在の点検作業についての入力が完了すると、次の点検作業の情報が入力可能となるため、ユーザは、決められた正しい順番でスムーズに点検作業を行うことができる。また、これにより、ユーザによる作業漏れの発生が低減される。更に、ユーザは、保留フラグを活用すすることにより、後回しにする作業を作ることができる。ユーザは、その保留フラグを参照することにより、後回しにした作業を時間経過後も把握することができる。
【００８３】
更に、各情報がカード形式で表示されており、かつ、細かな操作を要する操作がユーザ操作として求められていないことから、ユーザは、スマートデバイス（１０Ａ，１０Ｂ）を持ちながらもスムーズな点検作業を行うことができる。
【００８４】
なお、上述の説明で用いた複数のフローチャートでは、複数の工程（処理）が順番に記載されているが、各本実施形態で実行される工程の実行順序は、その記載の順番に制限されない。各本実施形態では、図示される工程の順番を内容的に支障のない範囲で変更することができる。また、上述の各実施形態は、内容が相反しない範囲で組み合わせることができる。
【００８５】
上記の各実施形態の一部又は全部は、以下の付記ようにも特定され得る。但し、各実施形態が以下の記載に限定されるものではない。
【００８６】
（付記１）  表示部に処理対象の各情報をカード形式でそれぞれ表示させる情報処理装置において、
表示エリア内に所定方向に並ぶように設けられる入力エリア及び後エリアのうち、カードが示す情報への入力が可能な入力エリアに配置されているカードに対する所定操作を検出する操作検出手段と、
上記操作検出手段により上記所定操作が検出された場合に、上記入力エリアに配置されているカードが示す情報の状態に基づいて、上記後エリア内に設けられる複数の仕分エリアの中から該カードの移動先の仕分エリアを決定する決定手段と、
上記入力エリアに配置されている上記カードを、上記決定手段により決定された移動先の仕分エリアに移動させる描画処理手段と、
を備える情報処理装置。
（付記２）  上記描画処理手段は、上記入力エリアに配置されていたカードを上記仕分エリアに移動させると共に、他の情報を示す新たなカードを上記入力エリアに配置する、
付記１に記載の情報処理装置。
（付記３）  上記仕分エリアの決定ルールを変え、変更後の決定ルールに基づいて、上記後エリア内に設けられる仕分エリアの再構成、及び、既に仕分エリアに配置されているカードの再構成された各仕分エリアへの再配置を行う再仕分手段、
を更に備え、
上記決定手段は、上記再仕分手段による上記決定ルールの変更後、上記変更後の決定ルールに基づいて、上記入力エリアに配置されている上記カードの移動先の仕分エリアを決定する、
付記１又は付記２に記載の情報処理装置。
（付記４）  待機エリアが、上記表示エリア内に所定方向に並ぶように、上記入力エリアを介して上記後エリアの反対側に設けられており、
上記決定手段は、カード形式で示される全ての情報の中から、未完了状態の複数の情報を特定し、
上記描画処理手段は、上記複数の仕分エリアの各々に配置されたカードを積み重ねて表示し、上記決定手段により特定された未完了状態の各情報をそれぞれ示す複数のカードを上記待機エリア内に積み重ねて表示し、上記入力エリアに配置されている上記カードを上記後エリア内の上記仕分エリアに移動させる際に、上記待機エリア内のカードスタックの最上層カードを上記新たなカードとして上記入力エリアに移動させる、
付記１から付記３のいずれか１つに記載の情報処理装置。
（付記５）  上記決定手段により特定された未完了状態の各情報には、順序番号がそれぞれ付されており、
上記描画処理手段は、上記順序番号に基づいて、上記待機エリア内のカードスタックの最上層カードを決定する、
付記４に記載の情報処理装置。
（付記６）  カード形式で表示される情報の総数、上記未完了状態の情報の数、及び、上記仕分エリア毎の配置されたカードが示す情報の数を取得するカウント手段、
を更に備え、
上記描画処理手段は、上記総数及び上記未完了状態の情報の数を上記待機エリアに表示し、上記総数及び上記仕分エリア毎の数を上記後エリアに表示する、
付記４又は付記５に記載の情報処理装置。
（付記７）  上記描画処理手段は、上記複数の仕分エリアの中の１つに配置されるカードを上記待機エリアに移動させる、
付記４から付記６のいずれか１つに記載の情報処理装置。
（付記８）  上記入力エリアに配置されている上記カードが示す情報に情報フラグを付加するフラグ付加手段、
を更に備え、
上記描画処理手段は、上記情報フラグが付された情報を示すカードの表示形式を上記情報フラグが付されていない情報を示すカードとは異なる表示形式に変更する、
付記１から付記７のいずれか１つに記載の情報処理装置。
（付記９）  上記決定手段は、上記入力エリアに配置されている上記カードが示す情報に、上記情報フラグが付されているか否かを判定し、上記情報フラグが付されている場合に、上記情報フラグが付された情報を示すカードのみが配置される仕分エリアに、上記入力エリアに配置されている上記カードの移動先を決定する、
付記８に記載の情報処理装置。
（付記１０）  上記描画処理手段は、上記情報フラグが付されている情報を示すカードを上記入力エリアから上記仕分エリアに移動させると共に、該カードが示す情報を上記入力エリア及び上記後エリアとは異なる部分エリアに固定的にカード形式で表示する、
付記８又は付記９に記載の情報処理装置。
（付記１１）  表示部に処理対象の各情報をカード形式でそれぞれ表示させる少なくとも１つのコンピュータにより実行される情報表示方法において、
表示エリア内に所定方向に並ぶように設けられる入力エリア及び後エリアのうち、カードが示す情報への入力が可能な入力エリアに配置されているカードに対する所定操作を検出し、
上記所定操作が検出された場合に、上記入力エリアに配置されているカードが示す情報の状態に基づいて、上記後エリア内に設けられる複数の仕分エリアの中から該カードの移動先の仕分エリアを決定し、
上記入力エリアに配置されている上記カードを、上記決定された移動先の仕分エリアに移動させる、
ことを含む情報表示方法。
（付記１２）  他の情報を示す新たなカードを上記入力エリアに配置する、
ことを更に含む付記１１に記載の情報表示方法。
（付記１３）  上記仕分エリアの決定ルールを変え、
変更後の決定ルールに基づいて、上記後エリア内に設けられる仕分エリアの再構成を行い、
既に仕分エリアに配置されているカードの再構成された各仕分エリアへの再配置を行う、
ことを更に含み、
カードの移動先の仕分エリアの上記決定は、上記決定ルールの変更後、上記変更後の決定ルールに基づいて、上記入力エリアに配置されている上記カードの移動先の仕分エリアを決定する、
付記１１又は付記１２に記載の情報表示方法。
（付記１４）  待機エリアが、上記表示エリア内に所定方向に並ぶように、上記入力エリアを介して上記後エリアの反対側に設けられており、
カード形式で示される全ての情報の中から、未完了状態の複数の情報を特定し、
上記複数の仕分エリアの各々に配置されたカードを積み重ねて表示し、
上記未完了状態の各情報をそれぞれ示す複数のカードを上記待機エリア内に積み重ねて表示し、
上記入力エリアに配置されている上記カードを上記後エリア内の上記仕分エリアに移動させる際に、上記待機エリア内のカードスタックの最上層カードを上記新たなカードとして上記入力エリアに移動させる、
ことを更に含む付記１１から付記１３のいずれか１つに記載の情報表示方法。
（付記１５）  上記特定された未完了状態の各情報には、順序番号がそれぞれ付されており、
上記順序番号に基づいて、上記待機エリア内のカードスタックの最上層カードを決定する、
ことを更に含む付記１４に記載の情報表示方法。
（付記１６）  カード形式で表示される情報の総数、上記未完了状態の情報の数、及び、上記仕分エリア毎の配置されたカードが示す情報の数を取得し、
上記総数及び上記未完了状態の情報の数を上記待機エリアに表示し、
上記総数及び上記仕分エリア毎の数を上記後エリアに表示する、
ことを更に含む付記１４又は付記１５に記載の情報表示方法。
（付記１７）  上記複数の仕分エリアの中の１つに配置されるカードを上記待機エリアに移動させる、
ことを更に含む付記１４から付記１６のいずれか１つに記載の情報表示方法。
（付記１８）  上記入力エリアに配置されている上記カードが示す情報に情報フラグを付加し、  上記情報フラグが付された情報を示すカードの表示形式を上記情報フラグが付されていない情報を示すカードとは異なる表示形式に変更する、
ことを更に含む付記１１から付記１７のいずれか１つに記載の情報表示方法。
（付記１９）  上記入力エリアに配置されている上記カードが示す情報に、上記情報フラグが付されているか否かを判定する、
ことを更に含み、
カードの移動先の仕分エリアの上記決定は、上記情報フラグが付されている場合に、上記情報フラグが付された情報を示すカードのみが配置される仕分エリアに、上記入力エリアに配置されている上記カードの移動先を決定する、
付記１８に記載の情報表示方法。
（付記２０）  上記情報フラグが付されている情報を示すカードを上記入力エリアから上記仕分エリアに移動させると共に、該カードが示す情報を上記入力エリア及び上記後エリアとは異なる部分エリアに固定的にカード形式で表示する、
ことを更に含む付記１８又は付記１９に記載の情報表示方法。
（付記２１）  付記１１から付記２０のいずれか１つに記載の情報表示方法を少なくとも１つのコンピュータに実行させるプログラム、あるいは、そのプログラムが記録された、コンピュータが読み取り可能な記録媒体。
【００８７】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００８８】
この出願は、２０１４年２月２８日に出願された日本出願特願２０１４−０３７７９９を基礎とする優先権を主張し、その開示の全てをここに取り込む。
【符号の説明】
【００８９】
２  ＣＰＵ
３  メモリ
４  表示ユニット
５  タッチセンサ
６  マイクロフォンユニット
１０A、１０B  スマートデバイス
１１、１０１  操作検出部
１２、１０２  決定部
１３、１０３  描画処理部
１４  再仕分部
１５  カウント部
１６  フラグ付加部
１００  情報処理装置
【図１】
2015129244.tif 000003
【図２】
2015129244.tif 000004
【図３】
2015129244.tif 000005
【図４】
2015129244.tif 000006
【図５】
2015129244.tif 000007
【図６】
2015129244.tif 000008
【図７】
2015129244.tif 000009
【図８】
2015129244.tif 000010
【図９】
2015129244.tif 000011
【図１０】
2015129244.tif 000012
【図１１】
2015129244.tif 000013
【手続補正書】
【提出日】平成28年8月19日(2016.8.19)
【手続補正２】
【補正対象書類名】明細書
【補正対象項目名】００１０
【補正方法】変更
【補正の内容】
【００１０】
第１の側面は、表示部に処理対象の各情報をカード形式でそれぞれ表示させる情報処理装置に関する。第１の側面に係る情報処理装置は、表示エリア内に所定方向に並ぶように設けられる入力エリア及び後エリアのうち、カードが示す情報への入力が可能な入力エリアに配置されている上記カードに対する所定操作を検出する操作検出手段と、上記操作検出手段により上記所定操作が検出された場合に、上記入力エリアに配置されている上記カードが示す情報の状態に基づいて、上記後エリア内に設けられる複数の仕分エリアの中から該カードの移動先の仕分エリアを決定する決定手段と、上記入力エリアに配置されている上記カードを、上記決定手段により決定された移動先の仕分エリアに移動させる描画処理手段と、備える。
【手続補正３】
【補正対象書類名】明細書
【補正対象項目名】００１１
【補正方法】変更
【補正の内容】
【００１１】
第２の側面は、表示部に処理対象の各情報をカード形式でそれぞれ表示させる少なくとも１つのコンピュータにより実行される情報表示方法に関する。第２の側面に係る情報表示方法は、表示エリア内に所定方向に並ぶように設けられる入力エリア及び後エリアのうち、カードが示す情報への入力が可能な入力エリアに配置されているカードに対する所定操作を検出し、上記所定操作が検出された場合に、上記入力エリアに配置されている上記カードが示す情報の状態に基づいて、上記後エリア内に設けられる複数の仕分エリアの中から該カードの移動先の仕分エリアを決定し、上記入力エリアに配置されている上記カードを、上記決定された移動先の仕分エリアに移動させることを含む。
【手続補正４】
【補正対象書類名】特許請求の範囲
【補正対象項目名】請求項１
【補正方法】変更
【補正の内容】
【請求項１】
表示部に処理対象の各情報をカード形式でそれぞれ表示させる情報処理装置において、
表示エリア内に所定方向に並ぶように設けられる入力エリア及び後エリアのうち、カードが示す情報への入力が可能な入力エリアに配置されている前記カードに対する所定操作を検出する操作検出手段と、
前記操作検出手段により前記所定操作が検出された場合に、前記入力エリアに配置されている前記カードが示す情報の状態に基づいて、前記後エリア内に設けられる複数の仕分エリアの中から該カードの移動先の仕分エリアを決定する決定手段と、
前記入力エリアに配置されている前記カードを、前記決定手段により決定された移動先の仕分エリアに移動させる描画処理手段と、備える
情報処理装置。
【手続補正５】
【補正対象書類名】特許請求の範囲
【補正対象項目名】請求項１１
【補正方法】変更
【補正の内容】
【請求項１１】
表示部に処理対象の各情報をカード形式でそれぞれ表示させる少なくとも１つのコンピュータにより実行される情報表示方法において、
表示エリア内に所定方向に並ぶように設けられる入力エリア及び後エリアのうち、カードが示す情報への入力が可能な入力エリアに配置されている前記カードに対する所定操作を検出し、
前記所定操作が検出された場合に、前記入力エリアに配置されている前記カードが示す情報の状態に基づいて、前記後エリア内に設けられる複数の仕分エリアの中から該カードの移動先の仕分エリアを決定し、
前記入力エリアに配置されている前記カードを、前記決定された移動先の仕分エリアに移動させる、ことを含む
情報表示方法。
【手続補正６】
【補正対象書類名】特許請求の範囲
【補正対象項目名】請求項１２
【補正方法】変更
【補正の内容】
【請求項１２】
表示部に処理対象の各情報をカード形式でそれぞれ表示させる少なくとも１つのコンピュータに、
表示エリア内に所定方向に並ぶように設けられる入力エリア及び後エリアのうち、カードが示す情報への入力が可能な入力エリアに配置されている前記カードに対する所定操作を検出する処理と、
前記所定操作が検出された場合に、前記入力エリアに配置されている前記カードが示す情報の状態に基づいて、前記後エリア内に設けられる複数の仕分エリアの中から該カードの移動先の仕分エリアを決定する処理と、
前記入力エリアに配置されている前記カードを、前記決定された移動先の仕分エリアに移動させる処理と、を実行させる
プログラム。
【国際調査報告】
2015129244.tif 000014
2015129244.tif 000015
2015129244.tif 000016
2015129244.tif 000017
2015129244.tif 000018
2015129244.tif 000019